(57)【要約】【課題】  再生するタイトルを選択するユーザの操作を十分に援助できる情報を、タイトルメニュー画像において提示することで、ユーザの操作性を向上させた光ディスク装置を提供する。【解決手段】  ＤＶＤ装置１は、ＤＶＤ１０に記録されているタイトルを一覧で表示するタイトルメニュー画像を出力する。このタイトルメニュー画像は、その時点で選択されているタイトルについて、前回の再生時間、前回再生しなかった残り時間、前回の再生日時、これまでの再生回数を表示させる画像である。このタイトルメニュー画像により、ユーザに情報を十分に提示することができ、再生するタイトルの選択にかかるユーザの操作性の向上が図れる。【選択図】  図１
2007087452.tif 000002
【特許請求の範囲】
【請求項１】
装置本体にセットされている光ディスクに記録されているタイトルのタイトル名を表示装置に一覧表示させるタイトルメニュー画像を出力する出力手段と、
前記出力手段が出力している前記タイトルメニュー画像において、タイトル名が表示されているタイトルの中から任意のタイトルを選択する選択手段と、
タイトルの再生が指示されたときに、この時点において前記選択手段が選択しているタイトルの再生を開始する再生手段と、を備えた光ディスク装置において、
光ディスク毎に、その光ディスクに記録されている各タイトルについて、前回再生されたときの再生時間、前回再生された日時、およびこれまでに再生された再生回数を含む再生履歴情報を記憶する記憶手段と、
装置本体にセットされている光ディスクについて、前記記憶手段が記憶する再生履歴情報を取得する再生履歴情報取得手段と、
前記再生手段によるタイトルの再生が行われたときに、前記記憶手段が記憶する今回再生されたタイトルの再生履歴情報を更新する更新手段と、を備え、
前記出力手段は、前記選択手段により選択されているタイトルについてのみ、前記再生履歴情報取得手段が取得した再生履歴情報に基づいて、前回の再生時間、前回再生した日時、およびこれまでの再生回数を表示させるタイトルメニュー画像を出力する手段である光ディスク装置。
【請求項２】
装置本体にセットされている光ディスクに記録されているタイトルのタイトル名を表示装置に一覧表示させるタイトルメニュー画像を出力する出力手段と、
前記出力手段が出力している前記タイトルメニュー画像において、タイトル名が表示されているタイトルの中から任意のタイトルを選択する選択手段と、
タイトルの再生が指示されたときに、この時点において前記選択手段が選択しているタイトルの再生を開始する再生手段と、を備えた光ディスク装置において、
装置本体にセットされている光ディスクに記録されているタイトル毎に、そのタイトルについて前回再生されたときの再生時間、前回再生された日時、およびこれまでに再生された再生回数を含む再生履歴情報を取得する再生履歴情報取得手段と、
前記再生手段によるタイトルの再生が行われたときに、今回再生されたタイトルの再生履歴情報を更新する更新手段と、を備え、
前記出力手段は、装置本体にセットされている光ディスクに記録されているタイトル毎に、前記再生履歴情報取得手段が取得した再生履歴情報に基づいて、前回の再生時間、前回再生した日時、およびこれまでの再生回数を表示させるタイトルメニュー画像を出力する手段である光ディスク装置。
【請求項３】
光ディスク毎に、その光ディスクに記録されている各タイトルについて、前記再生履歴情報を記憶する記憶手段を備え、
前記更新手段は、前記記憶手段が記憶する該当するタイトルの再生履歴情報を更新する手段である請求項２に記載の光ディスク装置。
【請求項４】
前記出力手段は、前記選択手段により選択されているタイトルについてのみ、前記再生履歴情報取得手段が取得した再生履歴情報に基づいて、前回の再生時間、前回再生した日時、およびこれまでの再生回数を表示させるタイトルメニュー画像を出力する手段である請求項２または３に記載の光ディスク装置。
【発明の詳細な説明】
【技術分野】
【０００１】
この発明は、ＤＶＤ等の光ディスクに記録されているタイトル（番組）を再生する光ディスク装置に関する。
【背景技術】
【０００２】
従来、ＤＶＤに記録されているタイトル（番組）のデータを読み取り、再生する光ディスク装置が広く一般に普及している。一般的な光ディスク装置は、本体にセットされている光ディスクに記録されているタイトル毎にタイトル名や記録日時等を一覧で表示させるタイトルメニュー画像を出力し、再生するタイトルをユーザに選択させる機能を有している。このタイトルメニュー画像は、装置本体に接続されている表示装置において表示される。ユーザは、このタイトルメニュー画像において表示されているタイトル名等を確認し、再生するタイトルを選択する。このように、タイトルメニュー画像は、装置本体にセットされているＤＶＤに記録されているタイトルをユーザに確認させるためのものである。
【０００３】
また、タイトルメニュー画像の表示形態についての提案も種々なされている（例えば、特許文献１〜３参照）。例えば、特許文献１では、ＥＰＧ（電子プログラムガイド）とともに、プライベートチャンネルとして、光ディスクに記録されているタイトルや、録画予約されている未記録のタイトルのタイトル名を表示することが提案されている。また、特許文献２では、タイトル一覧画像において、処理がすんだ部分と、そうでない部分と、を区別して表示することが提案されている。さらに、特許文献３では、タイトルメニュー画像に視聴制限情報やタイトルの長さ（再生時間）等を表示することが提案されている。
【特許文献１】特開２０００−２９５５５８号公報
【特許文献２】特開２００２−２９０８６３号公報
【特許文献３】特開２００３−２３００８０号公報
【発明の開示】
【発明が解決しようとする課題】
【０００４】
しかしながら、従来の光ディスク装置は、タイトルメニュー画像において、再生（視聴）したことがないタイトルであるかどうか、再生したことがあるタイトルであれば略全部を再生したのか、反対に一部分を再生しただけで再生していない部分（未再生の部分）が比較的多いタイトルであるのか、最後に再生したのはいつであるか、これまでに何回再生したのか、ということをユーザに確認させることができなかった。このため、ユーザは、再生したことがあるタイトルであるかどうか等を、タイトル名等から自分の記憶で判断しなければならず、未再生のタイトルをすでに再生したことがあると判断したり、反対にすでに再生したことがあるタイトルを未再生であると判断することがあった。また、ユーザは、再生したことがあるかどうかの記憶が曖昧であるタイトルについては、上記の判断を行うために、そのタイトルをとりあえず再生し、内容を確認しなければならなかった。このように、従来の光ディスク装置は、タイトルメニュー画像において、ユーザに十分な情報が提示できておらず、再生するタイトルを選択するユーザの操作が煩雑になり、操作性が良くないという問題があった。
【０００５】
この発明の目的は、タイトルメニュー画像において再生するタイトルを選択するユーザの操作を十分に援助できる情報を提示することで、ユーザの操作性を向上させた光ディスク装置を提供することにある。
【課題を解決するための手段】
【０００６】
この発明の光ディスク装置は、上述した課題を解決するために、以下の構成を備えている。
【０００７】
（１）装置本体にセットされている光ディスクに記録されているタイトルのタイトル名を表示装置に一覧表示させるタイトルメニュー画像を出力する出力手段と、
前記出力手段が出力している前記タイトルメニュー画像において、タイトル名が表示されているタイトルの中から任意のタイトルを選択する選択手段と、
タイトルの再生が指示されたときに、この時点において前記選択手段が選択しているタイトルの再生を開始する再生手段と、を備えた光ディスク装置において、
装置本体にセットされている光ディスクに記録されているタイトル毎に、そのタイトルについて前回再生されたときの再生時間、前回再生された日時、およびこれまでに再生された再生回数を含む再生履歴情報を取得する再生履歴情報取得手段と、
前記再生手段によるタイトルの再生が行われたときに、今回再生されたタイトルの再生履歴情報を更新する更新手段と、を備え、
前記出力手段は、装置本体にセットされている光ディスクに記録されているタイトル毎に、前記再生履歴情報取得手段が取得した再生履歴情報に基づいて、前回の再生時間、前回再生した日時、およびこれまでの再生回数を表示させるタイトルメニュー画像を出力する手段である。
【０００８】
この構成では、再生履歴情報取得手段が、装置本体にセットされている光ディスクに記録されているタイトル毎に、そのタイトルについて前回再生されたときの再生時間、前回再生された日時、およびこれまでに再生された再生回数を含む再生履歴情報を取得する、また、出力手段が、装置本体にセットされている光ディスクに記録されているタイトル毎に、前記再生履歴情報取得手段が取得した再生履歴情報に基づいて、前回の再生時間、前回再生した日時、およびこれまでの再生回数を表示させるタイトルメニュー画像を出力する。したがって、ユーザは、表示されたタイトルメニュー画像から、装置本体にセットされている光ディスクに記録されているタイトル毎に、再生したことがない未再生のタイトルであるかどうか、再生したことがあるタイトルであれば略全部を再生したのか、反対に一部分を再生しただけで再生していない部分（未再生の部分）が比較的多いのか、最後に再生したのはいつであるか、これまでに何回再生したのか、ということを確認することができる。このため、ユーザは、再生したことがあるタイトルであるかどうか等を、自分の記憶で判断する必要がない。このように、タイトルメニュー画像において再生するタイトルを選択するユーザの操作を十分に援助できる情報を提示したので、ユーザの操作性の向上が図れる。
【０００９】
また、更新手段が、再生手段によるタイトルの再生が行われたときに、今回再生されたタイトルの再生履歴情報を更新するので、再生するタイトルを選択するユーザに対して適正な情報を提示することができる。
【００１０】
（２）光ディスク毎に、その光ディスクに記録されている各タイトルについて、前記再生履歴情報を記憶する記憶手段を備え、
前記更新手段は、前記記憶手段が記憶する該当するタイトルの再生履歴情報を更新する手段である。
【００１１】
この構成では、再生履歴情報を光ディスクの記録領域に記憶させるのではなく、記憶手段に記憶させる構成としたので、光ディスクの記憶領域をタイトルの記録に有効に使用できる。
【００１２】
（３）前記出力手段は、前記選択手段により選択されているタイトルについてのみ、前記再生履歴情報取得手段が取得した再生履歴情報に基づいて、前回の再生時間、前回再生した日時、およびこれまでの再生回数を表示させるタイトルメニュー画像を出力する手段である。
【００１３】
この構成では、タイトルメニュー画像を出力しているときに、選択されているタイトルについてのみ、前記再生履歴情報に基づく、前回の再生時間、前回再生しなかった残り時間、前回再生した日時、および再生回数を表示するタイトルメニュー画像を出力するので、タイトルメニュー画像の表示を簡素化できる。したがって、ユーザにとって、みやすいタイトルメニュー画像を表示装置に表示させることができる。
【発明の効果】
【００１４】
この発明によれば、タイトルメニュー画像において、再生するタイトルを選択するユーザの操作を十分に援助できる情報を提示したので、ユーザの操作性の向上が図れる。
【００１５】
また、光ディスクの記憶領域をタイトルの記録に有効に使用できる。
【００１６】
さらに、ユーザにとって、みやすいタイトルメニュー画像を表示装置に表示させることができる。
【発明を実施するための最良の形態】
【００１７】
以下、この発明の実施形態であるＤＶＤ装置について説明する。
【００１８】
図１は、この発明の実施形態であるＤＶＤ装置の主要部の構成を示すブロック図である。この実施形態のＤＶＤ装置１は、装置本体の動作を制御する制御部２と、装置本体にセットされているＤＶＤ１０に記録するタイトル（番組）が入力される入力部３と、入力部３に入力されたタイトルについてＤＶＤ１０に記録する記録データを生成する記録信号処理部４と、記録信号処理部４が生成した記録データをＤＶＤ１０に記録する処理やＤＶＤ１０に記録されているタイトルの記録データを読み取る記録／読取部５と、記録／読取部５がＤＶＤ１０から読み取ったタイトルの記録データを処理する読取信号処理部６と、読取信号処理部６で処理された記録データに基づく再生信号を出力する出力部７と、ＤＶＤ１０毎に再生履歴を記憶する記憶部８と、装置本体に対する入力操作を受け付ける操作部９と、を備えている。この実施形態のＤＶＤ装置１は、ＤＶＤ１０に対するタイトルの記録（録画）、およびＤＶＤ１０に記録されているタイトルの再生が行える。制御部２は、現在の日付を管理するカレンダ機能や、現在の時刻を管理する時計機能、さらには後述するタイトルメニュー画像を生成するタイトルメニュー画像生成機能を有している。このタイトルメニュー画像生成機能は、所謂ＯＳＤ画像を生成する機能である。
【００１９】
入力部３には、図示していないアンテナで受信されたテレビ放送信号が入力される。入力部３は、入力されているテレビ放送信号から選択されているチャンネルのテレビ放送信号を抽出するチューナを有している。入力部３は、チューナで抽出したテレビ放送信号を記録信号処理部４に入力する。すなわち、入力部３は、選択されているチャンネルで放送されているタイトルの信号を記録信号処理部４に入力する。また、入力部３には、接続されている他の機器からＤＶＤ１０に記録するタイトル信号が入力される場合もある。入力部３は、接続されている他の機器から入力されたタイトルの信号も記録信号処理部４に入力する。記録信号処理部４は、入力部３から入力されたタイトルの信号がアナログ信号であれば、これをディジタル信号に変換する。記録信号処理部４は、入力されたタイトルの信号から、このタイトルの映像データ、および音声データを取得し、ここで取得した映像データ、および音声データをエンコードし、エンコードした映像データ、および音声データを所定の単位でパケット化して多重化したシステムストリームを生成する。記録信号処理部４は、このシステムストリームをＤＶＤ１０に記録する記録データとして記録／読取部５に入力する。
【００２０】
記録／読取部５は、ＤＶＤ１０にレーザ光を照射し、その反射光を検出するピックアップヘッド（不図示）や、ＤＶ１０に照射しているレーザ光の照射位置を制御するフォーカスサーボ制御やトラッキングサーボ制御等を行うサーボ制御部（不図示）等を有している。また、記録／読取部５は、ＤＶＤ１０に照射するレーザ光を、このＤＶＤ１０に記録する記録データに基づいて変調する記録制御を行う。さらに、記録／読取部５は、ＤＶＤ１０に記録されているタイトルの記録データを読み取った読取信号、所謂ＲＦ信号、を読取信号処理部６に入力する。読取信号処理部６は、入力された読取信号を処理してシステムストリームを取得し、このシステムストリームから映像データ、および音声データを分離して抽出する。また、読取信号処理部６は、ここで抽出した映像データ、および音声データをデコードし、デコードした映像データ、および音声データを出力部７に入力する。出力部７には、映像を表示する表示装置１１や、音声を放出するスピーカ１２が接続されている。出力部７は、読取信号処理部６から入力された映像データに基づく再生映像信号と、音声データに基づく再生音声信号と、を同期させて出力する。再生映像信号は、表示装置１１に入力される。表示装置１１は、入力された再生映像信号に基づく映像を表示する。また、スピーカ１２は、入力された再生音声信号に基づく音声を放出する。また、出力部は、制御部２において生成されたタイトルメニュー画像を出力する機能も有している。
【００２１】
なお、出力部７には、再生映像信号、および再生音声信号をアナログ信号で出力するアナログ出力端子と、再生映像信号、および再生音声信号をディジタル信号で出力するディジタル出力端子と、を有している。
【００２２】
記憶部８は、記憶媒体であるハードディスク８ａ（ＨＤ８ａ）や、このハードディスクに対するデータの記録や、データの読取を行うハードディスクドライブ８ｂ（ＨＤＤ８ｂ）を有している。記憶部８が有するハードディスク８ａには、ＤＶＤ１０毎に、そのＤＶＤ１０に記録されている各タイトルの再生履歴情報を記憶する再生履歴情報記憶エリアが設けられている。この再生履歴情報は、図２に示すように、ＤＶＤ１０を識別する識別番号と、この識別番号で識別されるＤＶＤ１０に記録されている各タイトルの再生履歴情報と、を対応付けた情報である。再生履歴情報には、タイトル名、記録日時、前回の再生時間、前回の再生日時、これまでに再生された再生回数、および、これまでに殆ど全体が再生されているタイトル、ある程度再生されているタイトル、殆ど再生されていないタイトル、の３段階による区別を示す再生済状態等の情報が含まれている。再生済状態による区別は、例えば、タイトルの再生された部分が全体の８５％以上であれば殆ど全体が再生されたタイトル、全体の１０％以上で、８５％未満であればある程度再生されたタイトル、全体の１０％未満であれば殆ど再生されていないタイトルとするものである。
【００２３】
なお、再生済状態は、これまでの再生において判定された状態であり、前回の再生によって判定された状態ではない。すなわち、前回の再生が、ごくわずかな時間であっても、過去に全体の８５％以上再生していれば、再生済状態は、殆ど全体を再生してるタイトルとなる。
【００２４】
操作部９は、複数の操作キーや、図示していないリモコン装置から送信されてきた装置本体に対する制御コードを受信するリモコン受信部を有している。操作部９は、ユーザにより操作された操作キーに応じたコードや、リモコン受信部で受信した制御コードを制御部２に通知する。
【００２５】
以下、この実施形態のＤＶＤ装置１の動作について説明する。この実施形態のＤＶＤ装置１は、本体にセットされているＤＶＤ１０にタイトルを記録することができる。このＤＶＤ１０へのタイトルの記録については、公知のＤＶＤ装置と略同様であるので、ここでは簡単に説明する。ＤＶＤ装置１は、ＤＶＤ１０へのタイトルの記録開始にかかる入力があったときや、録画予約されているタイトルの録画開始時刻になると、ＤＶＤ１０へのタイトルの記録を開始する。ＤＶＤ１０に記録するタイトルは、入力部３に入力される。記録信号処理部４が、ＤＶＤ１０に記録するタイトルの映像データ、および音声データをエンコードするとともに、エンコードした映像データ、および音声データをパケット化し、これらを多重化したシステムストリームを生成する。記録／読取５は、記録信号処理部４で生成されたシステムストリームに基づいて、ピックアップヘッドがＤＶＤ１０に照射するレーザ光のパルス変調や、レーザパワー等を制御する。また、今回記録したタイトルのタイトル名、記録日時、記録開始位置、記録終了位置等の情報をＤＶＤ１０のリードイン領域に記録する。
【００２６】
次に、ＤＶＤ１０に記録されているタイトルの再生について説明する。図３は、この実施形態のＤＶＤ装置における再生動作を示すフローチャートである。ＤＶＤ装置１は、装置本体にセットされているＤＶＤ１０に記録されているタイトルの中から再生するタイトルの選択を受け付ける選択受付処理を行う（ｓ１）。
【００２７】
図４は、ｓ１にかかる選択受付処理を示すフローチャートである。ＤＶＤ装置１は、装置本体にセットされているＤＶＤ１０の所定の記録領域に記録されている識別番号を取得する（ｓ１１）。この実施形態のＤＶＤ装置１は、本体にＤＶＤ１０がセットされたときに、このＤＶＤ１０の所定の記録領域に識別番号が記録されているかどうかを検知し、記録されていなければ、このＤＶＤ１０の所定の記録領域に識別番号を記録する。この処理は、上述したタイトルをＤＶＤ１０に記録するときに行われている。このときに、ＤＶＤ装置１がＤＶＤ１０に付与する識別番号は、シリアル番号である。具体的には、ＤＶＤ装置１は、所定の記録領域に識別番号が記録されていないＤＶＤ１０に対して、記憶部８のハードディスク８ａの再生履歴情報記憶エリアに記憶しているＤＶＤ１０の識別番号の最大値に１を加算した識別番号を付与する。識別番号は、例えばリードイン領域に記録される。
【００２８】
ＤＶＤ装置１は、ｓ１１でＤＶＤ１０の識別番号が取得できたかどうかを判定する（ｓ１２）。具体的には、ＤＶＤ１０の所定の記録領域から、識別番号が読み取れたかどうかを判定する。ＤＶＤ装置１は、ｓ１２で識別番号が取得できたと判定すると、このＤＶＤ１０に記録されているタイトル毎に、そのタイトル名、および記録日時等の情報をＤＶＤ１０のリードイン領域から読み取り、取得する（ｓ１３）。また、ＤＶＤ装置１は、ｓ１１で取得した識別番号をキーにして、記憶部８のハードディスク８ａの再生履歴情報記憶エリアを検索し、該当する識別番号のＤＶＤ１０についての再生履歴情報を読み取る（ｓ１４）。ＤＶＤ装置１は、ｓ１３で読み取ったＤＶＤ１０に記録されているタイトルと、ｓ１４でハードディスク８ａの再生履歴情報記憶エリアから読み取った再生履歴情報に含まれているタイトルと、が完全に一致しているかどうかを判定する（ｓ１５）。ｓ１５では、前回の再生から今回の再生までの間に、このＤＶＤ１０に新たなタイトルが記録がされていないかや、ＤＶＤ１０に記録されていたタイトルが消去されていないかを判定している。
【００２９】
ＤＶＤ装置１は、ｓ１５でタイトルが完全に一致していないと判定すると、ハードディスク８ａの再生履歴情報記憶エリアにおける該当するＤＶＤ１０の再生履歴情報を更新する（ｓ１６）。具体的には、ＤＶＤ１０に新たなタイトルが記録されていた場合には、このタイトルのタイトル名、記録日時、前回の再生時間、前回の再生日時、これまでに再生された再生回数、および、再生済状態を、ハードディスク８ａの再生履歴情報記憶エリアに記憶している該当するＤＶＤ１０の再生履歴情報に追加する。このとき、タイトル名、記録日時については、ｓ１３で取得したタイトル名、記録日時を用い、前回の再生時間、前回の再生日時、これまでに再生された再生回数、および再生済状態についてはブランクとした再生履歴情報を追加する。また、ＤＶＤ１０に記録されていたタイトルが消去されていた場合には、ハードディスク８ａの再生履歴情報記憶エリアに記憶している該当するＤＶＤ１０の再生履歴情報から、消去されているタイトルにかかる再生履歴情報を削除する。
【００３０】
ＤＶＤ装置１の制御部２は、ｓ１５で一致していると判定した場合、またはｓ１６にかかる処理を行った後に、出力部７からタイトルメニュー画像を生成し、出力する（ｓ１７）。ここで生成されるタイトルメニュー画像は、この時点における再生履歴情報に基づくものである。すなわち、ＤＶＤ装置１は、上述したｓ１６にかかる処理を行った場合には、ｓ１６にかかる処理を行った再生履歴情報に基づいてタイトルメニュー画像を生成する。図５は、表示装置におけるタイトルメニュー画像の表示例を示す図である。タイトルメニュー画像は、図５に示すように、ＤＶＤ１０に記録されている各タイトルの代表画像を一覧で表示する画像である。また、図５において太線枠で示しているタイトルが、この時点で選択されているタイトルである。各タイトルの代表画像は静止画像であってもよいし、選択されているタイトルについてのみ動画像としてもよい（選択されていないタイトルは静止画像）。また、各タイトルの代表画像の下にタイトル名、および記録時間を表示している。図５では、各タイトルの代表画像については図示を省略している。さらに、選択されているタイトルについて、前回の再生時間、前回の再生日時、これまでの再生回数、再生済状態を選択されているタイトルの再生履歴情報として画面下部に表示している。
【００３１】
したがって、ユーザは、タイトルメニュー画像において表示されている再生履歴情報を確認することで、この時点で選択しているタイトルについて、
一度も再生していないタイトルであるのか、
これまでに再生したことがあるタイトルであれば、前回再生したときにどこまで視聴し、どこから視聴しなかったのか、
前回再生した日時、
これまでに何回再生したのか、
これまでに殆ど全体を再生したことがあるタイトルであるか、等を判断することができる。
【００３２】
また、再生履歴情報として、前回再生しなかった時間（タイトルの総時間から前回の再生時間を差し引いた時間）も加えて表示するようにしてもよい。
【００３３】
このように、この実施形態のＤＶＤ装置１は、タイトルメニュー画像により、装置本体にセットされているＤＶＤ１０に記録されているタイトルについて、これまでの再生履歴に関して十分な情報をユーザに提示しているので、ＤＶＤ１０に記録されているタイトルの中から再生するタイトルを選択するユーザの操作性を十分に向上できる。
【００３４】
ユーザは、操作部９に設けられているカーソルキー、またはリモコン装置に設けられているカーソルキーを操作することで、選択しているタイトルを切り換えることができる。ＤＶＤ装置１は、タイトルの選択を切り換える入力があると（ｓ１８）、ｓ１７に戻って、再生履歴情報を切り換えられたタイトルの再生履歴情報としたタイトルメニュー画像を生成し、出力部７から出力する。このとき、ＤＶＤ装置１が生成するタイトルメニュー画像は、タイトルの選択も切り換えた画像である。また、ＤＶＤ装置１は、ｓ１９でタイトルの再生にかかる入力があったと判定すると、このｓ１にかかる選択受付処理を終了する。ＤＶＤ装置１は、この選択受付処理を終了すると、この時点で選択されていたタイトルの再生を開始する（ｓ２）。
【００３５】
なお、この実施形態では、ｓ１にかかるタイトル選択処理において、選択されているタイトルについてのみ再生履歴情報を表示するタイトルメニュー画像を生成し、出力するとじたが、装置本体にセットされているＤＶＤ１０に記録されている各タイトルの再生履歴情報を一度に表示するようにしてもよい。この場合には、ＤＶＤ１０に記録されている各タイトルについての再生履歴情報を一度にユーザに提示でき、ユーザの操作性を一層向上できる。但し、この場合には、表示装置１１の画面に表示される項目が多くなるので、表示装置１１の画面サイズが小さい場合には、各項目の表示が小さくなるので、ユーザにとって見にくいタイトルメニュー画像になるので余り好ましくない。言い換えれば表示装置１の画面サイズが大きい場合には、各タイトルの再生履歴情報を一度に表示するのが好ましい。また、タイトルメニュー画像において、再生履歴情報が表示されるタイトルを選択されているタイトルのみとするか、ＤＶＤ１０に記録されている全てのタイトルとするか、の切換を、ユーザが行えるようにしてもよい。
【００３６】
また、ＤＶＤ装置１は、ｓ１１でＤＶＤ１０の識別番号が取得できなければ、再生履歴情報を表示しないタイトルメニュー画像を生成し、出力部７から出力する（ｓ２０）。具体的には、図５に示すタイトルメニュー画像の下部の再生履歴情報が無いタイトルメニュー画像を表示する。ＤＶＤ装置１は、タイトルの選択を切り換える入力があると（ｓ２１）、ｓ２０に戻って、タイトルの選択を切り換えたタイトルメニュー画像を生成し、出力部７から出力する。また、ＤＶＤ装置１は、ｓ２２でタイトルの再生にかかる入力があったと判定すると、このｓ１にかかる選択受付処理を終了する。ＤＶＤ装置１は、この選択受付処理を終了すると、この時点で選択されていたタイトルの再生を開始する（ｓ２）。
【００３７】
ＤＶＤ装置１は、ｓ２でタイトルの再生を開始すると、このタイトルの再生を終了するタイミングになるのを待つ（ｓ３）。ｓ３では、ユーザがタイトルの再生停止の入力操作を行うか、再生しているタイトルの再生が完了するタイミングを待っている。ＤＶＤ装置１は、ｓ３で再生終了タイミングになったと判断すると、タイトルの再生を停止し（ｓ４）、今回再生したタイトルについての再生履歴情報を更新する（ｓ５）。ｓ５では、前回の再生時間を、今回の再生した時間に更新する、また、前回の再生日時を今回の再生した日時に更新する。また、再生回数を１カウントアップする。さらに、再生済状態については、今回の再生済状態と、記憶している再生済状態とを比較し、更新する必要があれば更新する。ＤＶＤ装置１は、ｓ５にかかる処理を完了すると、本処理を終了する。このとき、ＤＶＤ装置１は、ｓ１に戻って上述した処理を繰り返すようにしてもよい。
【００３８】
このように、この実施形態は、タイトルの再生が完了すると、そのタイトルについての再生履歴情報を更新するので、ユーザに対して常に適正な再生履歴情報を提示することができる。また、再生履歴情報を本体に設けた記憶部８のハードディスク８ａに記憶する構成としたので、ＤＶＤ１０の記録領域を有効に利用することができ、また、再生時にＤＶＤ１０に対して再生履歴情報を書き換える処理を行う必要もないので、再生を停止する処理（ｓ４にかかる処理）に要する時間の増加も十分に抑えられる。
【図面の簡単な説明】
【００３９】
【図１】この発明の実施形態であるＤＶＤ装置の主要部の構成を示すブロック図である。
【図２】この発明の実施形態であるＤＶＤ装置が再生履歴情報記憶エリアに記憶している再生履歴情報を示す図である。
【図３】この実施形態のＤＶＤ装置における再生動作を示すフローチャートである。
【図４】この実施形態のＤＶＤ装置における選択受付処理を示すフローチャートである。
【図５】この実施形態のＤＶＤ装置が出力するタイトルメニュー画像を示す図である。
【符号の説明】
【００４０】
１−ＤＶＤ装置
２−制御部
３−入力部
４−記録信号処理部
５−記録／読取部
６−読取信号処理部
７−出力部
８−記憶部
８ａ−ハードディスク（ＨＤ）
８ｂ−ハードディスクドライブ（ＨＤＤ）
９−操作部
１０−ＤＶＤ
１１−表示装置
１２−スピーカ
【図１】
2007087452.tif 000003
【図２】
2007087452.tif 000004
【図３】
2007087452.tif 000005
【図４】
2007087452.tif 000006
【図５】
2007087452.tif 000007